(57)【要約】【課題】励磁コイルとケーシング内に配設された回路基板との電気接続の作業性向上と接続部分の確実な防水性を確保する。【解決手段】ターミナルバー２４が埋設される 防水ケース２５は、中空有底筒状に形成された大径部２５ａと、外周面にＯリング２７が巻装された小径部２５ｂとからなり、大径部２５ａの中空部分には、励磁コイル７の端部と接続されるターミナルバー２４のＵ字状に形成された端部が位置せしめられる一方、小径部２５ｂの軸方向には、ターミナルバー２４のＵ字状に形成された一方の端部から伸びるほぼ直線状の部位の一部が埋設され、ターミナルバー２４の残る部位は、小径部２５ｂから突出し、その端部は、回路基板４に半田付けされるようになっており、この防水ケース２５の小径部２５ａは、ケーシング１に形成された筒状嵌合部２６に嵌挿されて水密性が確保されるようになっている。【選択図】図１
2005261089.tif 000002
【特許請求の範囲】
【請求項１】
回路基板を収納保持すると共に、ロータを回転可能に支持するよう構成されてなるケーシングを具備してなるブラシレスモータであって、
前記ロータの内側に励磁コイルが巻装されたステータが配設され、前記励磁コイルは、前記ケーシングに設けられたターミナルバーを介して前記回路基板に接続されてなるブラシレスモータにおいて、
前記ターミナルバーは、前記励磁コイルが接続される一方の端部が、中空状に形成された部位を有してなる防水ケースの前記中空状に形成された部位に位置するようにして、また、当該ターミナルバーの他端が前記防水ケース突出するようにして、かつ、前記中空状の部位の中空部分には接着剤が充填されて埋設され、
前記防水ケースは、前記中空状に形成された部位が前記ロータに臨むように前記ケーシングの上面側に設けられてなることを特徴とするブラシレスモータ。
【請求項２】
防水ケースは、全体外観形状が大凡筒状に形成されてなり、中空状に形成された第１の部位と、当該第１の部位から延設されて、前記励磁コイルと接続されるターミナルバーの一方の端部から伸びる部位がインサート形成により埋設される第２の部位とからなる一方、
ケーシングには、前記防水ケースの第２の部位が嵌挿される筒状部がその内部へ突出形成されてなることを特徴とする請求項１記載のブラシレスモータ。
【請求項３】
第２の部位の外周面には、Ｏリングが巻装されてなることを特徴とする請求項２記載のブラシレスモータ。
【請求項４】
防水ケースは、全体外観形状が大凡柱状に形成されてなり、中空状に形成された第１の防水ケース部材と、大凡柱状に形成されてその軸方向においてその中心部分をターミナルバーが貫通可能に形成された第２の部位とからなる一方、
ケーシングには、前記第２の防水ケース部材が嵌挿される筒状部がその内部へ突出形成されてなり、前記第１の防水ケース部材は、前記第２の防水ケース部材が前記筒上部に嵌合された状態で当該第２の防水ケース部材に載置され、中空部分に充填された接着剤によって、当該第１及び第２の防水ケース部材が一体に固着されてなることを特徴とする請求項１記載のブラシレスモータ。
【請求項５】
第２の防水ケース部材の外周面には、Ｏリングが巻装されてなることを特徴とする請求項４記載のブラシレスモータ。
【請求項６】
防水ケースは、中空筒状に形成され、その底部側がケーシングに一体形成されてなることを特徴とする請求項１記載のブラシレスモータ。
【発明の詳細な説明】
【技術分野】
【０００１】
本発明は、ブラシレスモータに係り、特に、ステータに巻装された励磁コイルとケーシング内に配設される回路基板との接続部分の作業性の向上や防水性の向上等を図ったものに関する。
【背景技術】
【０００２】
従来、この種のブラシレスモータとしては、例えば、回路基板が収納されるケーシングの上面に、ロータが回転可能に支持されて設けられると共に、励磁コイルが巻装されたステータが固着されてなるものが公知・周知となっている（例えば、特許文献１参照）。
かかるブラシレスモータにおいては、励磁コイルと回路基板の電気回路との電気的接続が必要であるが、上述の従来例では、直線状で剛性のある導体がターミナルピンとして、その一端側が励磁コイルに半田付けされる一方、他端が回路基板に設けられたバスバーと称される比較的幅広の導電性部材に接合されるようにしてステータの励磁コイルと回路基板との電気的な接続が行われるようになっている。
【０００３】
【特許文献１】特開２００１−６９７４１号公報
【発明の開示】
【発明が解決しようとする課題】
【０００４】
上述のようなブラシレスモータにあっては、ターミナルピンがケーシングを貫通するようにして設けられているが、車両用の送風ブロワなどに使用される場合があることなどを考慮すると、その貫通部分の防水対策を十分に施す必要がある。また、上述の従来例にあっては、励磁コイルとターミナルピンとの半田付け部分を励磁コイルの防水加工処理と一緒に行う構造となっており、安価なブラシレスモータを提供するという観点から、このような防水加工処理を必要とする部分の作業性のさらなる向上が所望されている。
本発明は、上記実状に鑑みてなされたもので、ステータに巻装された励磁コイルとケーシング内に配設される回路基板との電気接続の作業性を向上すると共に、簡易な構造で防水性が確実に確保されるブラシレスモータを提供するものである。
【課題を解決するための手段】
【０００５】
上記本発明の目的を達成するため、本発明に係るブラシレスモータは、
回路基板を収納保持すると共に、ロータを回転可能に支持するよう構成されてなるケーシングを具備してなるブラシレスモータであって、
前記ロータの内側に励磁コイルが巻装されたステータが配設され、前記励磁コイルは、前記ケーシングに設けられたターミナルバーを介して前記回路基板に接続されてなるブラシレスモータにおいて、
前記ターミナルバーは、前記励磁コイルが接続される一方の端部が、中空状に形成された部位を有してなる防水ケースの前記中空状に形成された部位に位置するようにして、また、当該ターミナルバーの他端が前記防水ケース突出するようにして、かつ、前記中空状の部位の中空部分には接着剤が充填されて埋設され、
前記防水ケースは、前記中空状に形成された部位が前記ロータに臨むように前記ケーシングの上面側に設けられてなるものである。
【発明の効果】
【０００６】
本発明によれば、励磁コイルと回路基板との電気的接続に用いられるターミナルバーを、中空状の部位を有する防水ケースに埋設するようにし、この防止ケースをブラシレスモータのケーシングに嵌合させるか、又は、一体成形により設ける構成とし、中空部分には接着剤を注入するようにしたので、比較的簡単な構成で、励磁コイルとターミナルバーとの接続部分の絶縁処理を簡易に行うことができると共に、ターミナルバーのケーシングを貫く部分の水密性が確実に確保されるという効果を奏するものである。
【発明を実施するための最良の形態】
【０００７】
以下、本発明の実施の形態について、図１乃至図９を参照しつつ説明する。
なお、以下に説明する部材、配置等は本発明を限定するものではなく、本発明の趣旨の範囲内で種々改変することができるものである。
最初に、本発明の実施の形態におけるブラシレスモータの第１の構成例について、図１乃至図６を参照しつつ説明する。
本発明の実施の形態におけるブラシレスモータは、ケーシング１に基部が固定されたステータ２と、このステータ２に回転自在に設けられたロータ３と、ステータ２に巻装された励磁コイル７への通電制御を行う回路基板４とに大別されてなるものである（図１参照）。そして、かかる構成を有してなるブラシレスモータは、例えば、車両用空調装置における送風ファン５の回転駆動に用いられ、送風ファン５は、回転軸１２の先端部１２ａに固着されるものとなっている（図１参照）。
【０００８】
本発明の実施の形態におけるステータ２は、積層コア６と、この積層コア６に巻回された励磁コイル７と、上部絶縁カバー８ａ及び下部絶縁カバー兼軸受けホルダ８ｂとを有してなり、ロータ３の内側に配されたものとなっている。
上部絶縁カバー８ａは、中空円筒状に形成された部位１５ａの外周面の適宜な位置に円環状のつば１５ｂが形成されたものとなっており、その中空円筒状に形成された部位１５ａに上部軸受けホルダ９ａが圧入されるようになっている。上部軸受けホルダ９ａは、上部軸受け１０ａを保持すると共に、積層コア６の上部側（図１においてロータ３側）に圧入される円柱状に形成された上部圧入部１４ａが設けられたものとなっている。
【０００９】
一方、下部絶縁カバー兼軸受けホルダ８ｂは、積層コア６の下部側（図１においてケーシング１側）において、先の上部絶縁カバー８ａと同様に絶縁カバーとして機能すると共に、下部軸受け１０ｂを収納保持するものとなっている。すなわち、下部絶縁カバー兼軸受けホルダ８ｂは、先の上部絶縁カバー８ａ同様にほぼ中空筒状に形成された部位１６ａの内部に下部軸受け１０ｂが配設されると共に、この部位１６ａの外周面の適宜な位置に円環状のつば１６ｂが形成されたものとなっている。さらに、部位１６ａのケーシング１と反対側の端部には、積層コア６の下部側に圧入される下部圧入部１４ｂが設けられたものとなっている。
そして、積層コア６は、その上部側の中央部分に上部軸受けホルダ９ａの上部圧入部１４ａが圧入されると共に、下部側の中央部分に下部絶縁カバー兼軸受けホルダ８ｂの下部圧入部１４ｂが圧入されることで、その上下から上部絶縁カバー８ａ及び上部軸受けホルダ９ａと、下部絶縁カバー兼軸受けホルダ８ｂによって挟持されるようにして保持されるものとなっている（図１参照）。
【００１０】
下部絶縁カバー兼軸受けホルダ８ｂは、下部圧入部１４ｂが形成された端部と反対側の端部が、ケーシング１を構成する第１のカバー部材であるモータカバー２１に固着されるようになっている。そして、上部軸受けホルダ９ａ及び下部絶縁カバー兼軸受けホルダ８ｂは、その中央部分が中空状に形成されており、その部分に回転軸１２が挿通されることで、回転軸１２は、上部軸受け１０ａ及び下部軸受け１０ｂによってケーシング１上に回転可能に支持されるようになっている（図１参照）。
【００１１】
ロータ３は、大凡椀側に形成されたヨーク１１を有し、その開放面がケーシング１側に、閉成面が上面を形成するようにして、その閉成面の中央部に穿設された軸通孔１１ａに回転軸１２が挿通されて回転軸１２に固着され、ケーシング１上に保持されるものとなっている。
そして、ヨーク１１の内周面には、複数のマグネット１３が周方向で適宜な間隔を隔てて固着されており、積層コア６の周面と適宜な間隙を介して対面するようになっている（図１参照）。
【００１２】
ケーシング１は、モータカバー２１と基板カバー２２とからなり、特に、本発明の実施の形態におけるケーシング１は、従来と異なり、その内部と外部との通気を図るような通孔などは形成されておらず、密閉容器状に構成されたものとなっている。
第１のケース部材としてのモータカバー２１は、例えば、アルミ部材を用いて、その全体外観平面形状が大凡円盤状に形成されてなるもので（図２参照）、大凡円盤状に形成されたモータカバー基底部２１ａの周縁部分に第１の環状周壁２１ｂが立設されたものとなっている（図１参照）。そして、このモータカバー２１の上面側では、先に説明したようにロータ３が回転可能に支持されたものとなっている（図１及び図３参照）。
【００１３】
第１の環状周壁２１ｂの外周面の適宜な位置には、環状溝２１ｃが凹設されており、この環状溝２１ｃにＯリング２３が嵌め込まれて、第１の環状周壁２１ｂにＯリング２３が巻装されるようになっている。
さらに、モータカバー２１の裏面側、すなわち、ロータ３が回転可能に支持された側と反対側には、回路基板４が図示されない部位でねじ止めされるようになっている。
この回路基板４は、この回路基板４に取着された基板側コネクタ２８と、後述する基板カバー２２に設けられたカバー側コネクタ２９及び外部コネクタ接続部３０を介して外部からの電源及び駆動信号の供給を受けて、励磁コイル７への通電制御を行う電子回路が構成されたものとなっている。
【００１４】
基板側コネクタ２８は、回路基板４の縁近傍において、一部が回路基板４から突出するようにして取り付けられており（図１及び図５参照）、後述する基板カバー２２のカバー側コネクタ２９と嵌合されるようになっている。
そして、回路基板４と励磁コイル７とは、導電性部材からなるターミナルバー２４を介して相互に電気的に接続されるようになっている。すなわち、本発明の実施の形態におけるターミナルバー２４は、その一端側が励磁コイル７の接続のためにほぼＵ字状に形成されると共に、このＵ字状の端部の直下は防水ケース２５に埋設されたものとなっている（図１参照）。
【００１５】
本発明の実施の形態における防水ケース２５は、全体が大凡柱状に形成されており、大径部２５ａと小径部２５ｂとからなり、大径部２５ａは、中空有底筒状に形成され、その部分にターミナルバー２４のＵ字状に形成された端部が位置せしめられる一方、小径部２５ｂの軸方向においてターミナルバー２４のＵ字状に形成された一方の端部から伸びるほぼ直線状の部位の一部が埋設され、ターミナルバー２４の残る部位は、小径部２５ｂから突出するようになっている（図１参照）。
一方、モータカバー２１のモータカバー基底部２１ａの適宜な部位には、中空の嵌合筒状部２６が裏面側へ突出形成されており、この嵌合筒状部２６に防水ケース２５の小径部２５ｂが嵌挿されるものとなっている。なお、小径部２５ｂの外周面には、防水ケース環状溝６１が凹設されており、Ｏリング２７が巻装されたものとなっている。
【００１６】
防水ケース２５が上述のように嵌合筒状部２６に嵌挿された状態で、ターミナルバー２４のＵ字状の端部には、励磁コイル７の端部が溶接又は半田付けされ、その後、大径部２５ａの中空部分に接着剤３９が充填されるものとなっており、ターミナルバー２４の他端は、回路基板４に半田付けされるものとなっている（図１参照）。
ここで、ターミナルバー２４と励磁コイル７の端部との溶接又は半田付けは、上述のように、ターミナルバー２４が防水ケース２５に埋設された状態、換言すれば、ターミナルバー２４のＵ字状の端部が大径部２５ａの内部に位置した状態で行われるので、大径部２５ａの開口部分の大きさ、すなわち、具体的には、この構成例の場合、内径Ｒ（図６参照）は、溶接電極又は半田付け工具の先端部分が大径部２５ａの内部へ入り込み、ターミナルバー２４の端部と励磁コイル７の端部との溶接又は半田付け作業を十分行える大きさに設定されることが必要である。
【００１７】
なお、ターミナルバー２４は、防水ケース２５の小径部２５ｂに必ずしもインサート成形によって設けられる必要はなく、別体の部品とし、励磁コイル７との溶接又は半田付けの前、又は、その後に、小径部２５ｂに挿入するようにし、その後、大径部２５ａへの接着剤の充填を行うことで、防水ケース２５に固着されるようにしても良い。
また、嵌合筒状部２６と小径部２５ｂとの間に防水性を有する接着剤を塗布することで、この間の水密性を確保するようにして小径部２５ｂへのＯリング２７の取り付けを省略するような構成としても良い。
さらに、ターミナルバー２４に溶接又は半田付けされる励磁コイル７の端部は、防水ケース２５の上部、すなわち、大径部２５ａの開口側から導入するようにしたが（図１参照）、必ずしもこのように防水ケース２５の上部から導入される必要はなく、防水ケース２５の側面、例えば、大径部２５ａの側部から導入するようにしても良いものである。
【００１８】
一方、第２のケース部材としての基板カバー２２は、例えば、樹脂部材を用いて、その底面側からみた全体の外観形状がモータカバー２１同様に、大凡円盤状に形成されてなるもので（図１及び図４参照）、基板カバー基底部２２ａの周縁部分に第２の環状周壁２２ｂが立設されたものとなっている（図１参照）。そして、この第２の環状周壁２２ｂの内径は、先のモータカバー２１の第１の環状周壁２１ｂの外径にほぼ一致したものとなっている（図１参照）。
【００１９】
したがって、モータカバー２１は、その第１の環状周壁２１ｂの外周部分が、基板カバー２２の第２の環状周壁２２ｂの内周面に接合するようにして基板カバー２２に嵌挿されるものとなっている（図１参照）。そして、モータカバー２１と基板カバー２２との間に、先の回路基板４の収納、保持のための収納空間３８が形成されるものとなっている。
【００２０】
本発明の実施の形態における基板カバー２２の基板カバー基底部２２ａには、モータカバー２１が基板カバー２２に嵌挿された際に、回路基板４に取着されている先の基板側コネクタ２８に嵌合するカバー側コネクタ２９が一体に形成されており、モータカバー２１を基板カバー２２に嵌挿させた際に、相互に嵌合するように予めその位置が設定されたものとなっている。このカバー側コネクタ２９のコネクタターミナル２９ａは、本発明の実施の形態における基板カバー２２が樹脂成形により製造される際に埋設されるものとなっており、基板カバー２２の外側面に一体形成により設けられた外部接続コネクタ３０にその一端が位置するようになっている（図１参照）。なお、この外部接続コネクタ３０には、図示されない外部コネクタが嵌合され、外部から電源電圧及び駆動パルスが、外部接続コネクタ３０、カバー側コネクタ２９及び基板側コネクタ２８を介して回路基板４へ供給可能となっている。
【００２１】
次に、かかる構成において、モータカバー２１と基板カバー２２との組み付け手順について、図１及び図５を参照しつつ説明する。
まず、モータカバー２１と基板カバー２２とは、予めその周方向における相互の組み付け位置が定められており、例えば、周縁の適宜な箇所にマーキングが施されているものとする。ここで、予め設定されている組み付け位置とは、モータカバー２１基板カバー２２を相互に嵌合させた場合に、同時に基板側コネクタ２８とカバー側コネクタ２９とがそのまま嵌合する位置である。
また、前提として、モータカバー２１には、ステータ２やロータ３などが取着されると共に、ターミナルバー２４を介して励磁コイル７と回路基板４とが接続されて、回路基板４が取着されており、更に、Ｏリング２３が巻装されているものとする。
【００２２】
かかる前提の下、モータカバー２１と基板カバー２２の周方向における相対位置を予め設定されている所定の箇所に一致させ、次いで、モータカバー２１の第１の環状周壁２１ｂの部分を基板カバー２２内部へ徐々に押し込んでゆく。このモータカバー２１の基板カバー２２への挿入に伴い、基板側コネクタ２８とカバー側コネクタ２９とが嵌合を始め、カバー側コネクタ２９の周壁４１の頂部が基板側コネクタ２８の嵌挿溝２８ｃの底部に当接した状態で、モータカバー２１と基板カバー２２との嵌合及び基板側コネクタ２８とカバー側コネクタ２９との嵌合が完了することとなる（図１及び図５参照）。
そして、外部コネクタ接続部３０に、図示されない外部のコネクタを嵌合させることで、外部からの電源電圧、駆動信号の供給が可能となる。
【００２３】
次に、第２の構成例について、図７を参照しつつ説明する。なお、図１乃至図６に示された第１の構成例と同一の構成要素については、同一の符号を付してその詳細な説明を省略し、以下、異なる点を中心に説明する。
この第２の構成例は、防止ケース２５Ｂをモータカバー２１に一体形成した点が先の第１の構成例と異なるものである。
すなわち、防水カバー２５Ｂは、有底中空筒状に形成されて、その開口側がモータカバー２１の上面側、すなわち、ロータ３が位置する側となるようにモータカバー２１に一体成形されて設けられたものとなっている。
【００２４】
そして、ターミナルバー２４は、先の第１の構成例と同様に、Ｕ字状に形成された一方の端部が、防水ケース２５Ｂの中空部分に位置すると共に、このＵ字状に形成された一方の端部から伸びるほぼ直線状の部分が防水ケース２５Ｂの底部、すなわち、モータカバー２１を貫通して、他方の端部が回路基板４まで到り、回路基板４に半田付けされるようになっている。そして、ターミナルバー２４のＵ字状に形成された一方の端部には、励磁コイル７の端部が接続されるものとなっている（図７参照）。
なお、この防水ケース２５Ｂの場合も、その開口部分の大きさ、すなわち、内径Ｒは、先の第１の構成例で説明したと同様に、溶接電極又は半田付け工具の先端部分が防水ケース２５Ｂ内へ入り込み、ターミナルバー２４の端部と励磁コイル７の端部との溶接又は半田付け作業を十分行える大きさに設定されることが必要である。
また、励磁コイル７の端部を、第１の構成例で説明したように、防水ケース２５Ｂの側部から導入しても良いことも第１の構成例同様である。
【００２５】
次に、第３の構成例について、図８を参照しつつ説明する。なお、図１乃至図６に示された第１の構成例と同一の構成要素については、同一の符号を付してその詳細な説明を省略し、以下、異なる点を中心に説明する。
この第３の構成例における防水ケース２５Ｃは、ターミナルバー２４のＵ字状に形成された一方の端部が位置する防止ケース２５Ｃの開口部分の大きさが比較的小さくて済み、しかも、防水ケース２５Ｃが２つの部材から構成されたものとなっている点が先の第１の構成例と異なるもので、他の構成部分は、先の第１の構成例と基本的に同一である。
【００２６】
すなわち、防水ケース２５Ｃは、第１の防水ケース部材２５Ｃ１と、第２の防水ケース部材２５Ｃ２とからなり、第１の防水ケース部材２５Ｃ１は、中空筒状に形成されたものとなっている一方、第２の防水ケース部材２５Ｃ２は、先の第１の構成例における防水ケース２５の小径部２５ｂと基本的に同様な構造に形成されたものとなっている。そして、本発明の実施の形態においては、第１及び第２の防水ケース部材２５Ｃ１，２５Ｃ２は、外観形状が円柱状であり、その外径は同一に設定されたものとなっている（図８参照）。
この防水ケース２５Ｃの場合、ターミナルバー２４と励磁コイル７との溶接又は半田付けを行った後、ターミナルバー２４を防水ケース２５Ｃに取り付けることを前提としているため、第１の防水ケース部材２５Ｃ１の開口部分の大きさは、先の第１の構成例で説明したような溶接電極又は半田付け工具の先端部分が入り込むことを考慮したものである必要はない。具体的には、第１の防水ケース部材２５Ｃ１の内径Ｒ１は、先の図６に示された内径Ｒより小さくて十分である。
【００２７】
かかる構成における、ターミナルバー２４の防水ケース２５Ｃへの取り付けについて説明すれば、まず、ターミナルバー２４と励磁コイル７との所定の部分の溶接又は半田付けを行う。
一方、第２の防水ケース部材２５Ｃ２は、それ自体でモータカバー２１の嵌合筒状部２６に、図８に示されたようにＯリング２７がケーシング１の内部側に位置するように嵌合させておく。
次に、第１の防水ケース部材２５Ｃ１を第２の防水ケース部材２５Ｃ２の上に位置させて（図８参照）、ターミナルバー２４のＵ字状に形成された一方の端部と反対側の端部側から第１の防水ケース部材２５Ｃ１の内部へ挿入しつつ、第２の防水ケース部材２５Ｃ２へ挿入してゆき、図７に示されたように、ターミナルバー２４のＵ字状に形成された一方の端部が、第１の防水ケース部材２５Ｃ１内に位置し、他方の端部が回路基板４との半田付けが可能となる所定の部位に位置するようにする。
【００２８】
そして、第１の防水ケース部材２５Ｃ１に接着剤３９を充填することで、、第１及び第２の防水ケース部材２５Ｃ１，２５Ｃ２の相互の固着と共に、防水ケース２５Ｃへのターミナルバー２４の取り付けが完了することとなる。
なお、励磁コイル７の端部を、第１の構成例で説明したように、第１の防水ケース部材２５Ｃ１の側部から導入できるようにしても良いことは第１の構成例同様である。
【００２９】
次に、第４の構成例について、図９を参照しつつ説明する。なお、図１乃至図６並びに図８に示された第１及び第３の構成例と同一の構成要素については、同一の符号を付してその詳細な説明を省略し、以下、異なる点を中心に説明する。
この第４の構成例における防水ケース２５Ｄは、上述の第３の構成例の防水ケース２５Cを構成する第２の防水ケース部材Ｃ２のＯリング２７を省略した構成となっているものである。
すなわち、防水ケース２５Ｄは、第１の防水ケース部材２５Ｄ１と第２の防水ケース部材２５Ｄ２とからなり、第２の防水ケース部材２５Ｄ２は、円筒状の部材の中心付近をターミナルバー２４が挿通できるように形成されている点は、第３の構成例における第２の防水ケース部材２５Ｃ２と同一であるが、その外周面は、第３の構成例における第２の防水ケース部材２５Ｃ２と異なり、Ｏリングを巻装する構造とはなっておらず、円筒表面となっている（図９参照）。
かかる構成における、ターミナルバー２４の防水ケース２５Ｄへの取り付け手順は、基本的に先の第３の構成例で説明したと同様であるので、ここでの再度の詳細な説明は、省略することとする。
【図面の簡単な説明】
【００３０】
【図１】本発明の実施の形態におけるブラシレスモータの第１の構成例を示す縦断面図である。
【図２】図１に示されたブラシレスモータの送風ファン取り付け前の状態における平面図である。
【図３】図１に示されたブラシレスモータの送風ファン取り付け前の状態における側面図である。
【図４】図１に示されたブラシレスモータの底面図である。
【図５】ケーシングの組み立て手順を説明するための主要部の分解状態における縦断面図である。
【図６】図１に示された第１の構成例における防水ケース近傍の拡大縦断面図である。
【図７】第２の構成例における防水ケース近傍の拡大縦断面図である。
【図８】第３の構成例における防水ケース近傍の拡大縦断面図である。
【図９】第４の構成例における防水ケース近傍の拡大縦断面図である。
【符号の説明】
【００３１】
１…ケーシング
２…ステータ
３…ロータ
２１…モータカバー
２１ｂ…第１の環状周壁
２２…基板カバー
２２ｂ…第２の環状周壁
２４…ターミナルバー
２５…防水ケース
２８…基板側コネクタ
２９…カバー側コネクタ
３０…外部コネクタ接続部
【図１】
2005261089.tif 000003
【図２】
2005261089.tif 000004
【図３】
2005261089.tif 000005
【図４】
2005261089.tif 000006
【図５】
2005261089.tif 000007
【図６】
2005261089.tif 000008
【図７】
2005261089.tif 000009
【図８】
2005261089.tif 000010
【図９】
2005261089.tif 000011